(57)【特許請求の範囲】
【請求項１】
ページングチャネルを監視する周期を変更すべき時点である周期変更時と、変更後のページングチャネルを監視する周期である変更後周期とを決定する決定手段と、
前記時点から、前記変更後周期でページングチャネルを監視し始める監視手段とを備え、
前記決定手段は、
所定の期間を複数の分割時間帯に分割し、該分割時間帯の開始時を第１の周期変更時と決定し、
通話終了時から所定時間経過時を第２の周期変更時と決定し、
前記第１の周期変更時となった場合、又は、前記通話終了時から前記第２の周期変更時までに通話割込みが無い場合に、現時刻のスロットサイクルインデックスの登録処理を行い、
通話割込みがあった場合は、所定のスロットサイクルインデックスの登録処理を行う移動局。
【請求項２】
前記通話終了時とは、ＰＴＴモード中の音声パケットが送信または受信されたときであることを特徴とする請求項１に記載の移動局。
【請求項３】
前記移動局は、更に、通話時を特定する情報を含む通話履歴を記録する履歴記録手段を備え、
前記決定手段は、前記通話履歴に基づいて、前記周期変更時と前記変更後周期とを決定することを特徴とする請求項１または２に記載の移動局。
【請求項４】
前記移動局は更に、通話を検出する検出手段を備え、
前記履歴記録手段は、前記検出手段による通話の検出に基づき前記通話履歴の記録を行うことを特徴とする請求項３に記載の移動局。
【請求項５】
前記通話履歴は、前記分割時間帯ごとの通話の有無を記録した情報であり、更に、通話がある場合は通話のあった回数を含み、
前記決定手段は、更に、前記現時刻のスロットサイクルインデックスの登録処理の際に、現時刻に対応する分割時間帯の通話回数が一定値より多い場合は、当該分割時間帯の通話回数が一定値以下、及び、通話がなかった場合に比べて短い周期を変更後周期とするように前記監視する周期の決定を行うことを特徴とする請求項３または４に記載の移動局。
【請求項６】
前記履歴記録手段は、ＰＴＴモード中の音声パケットの送受信の時である前記通話時を特定する情報を含む通話履歴を記録することを特徴とする請求項３から５のいずれか１項に記載の移動局。
【請求項７】
前記決定手段は、前記第２の周期変更時を決定した場合は、前記第１の周期変更時をキャンセルする請求項１から６のいずれか１項に記載の移動局。
【発明の詳細な説明】
【技術分野】
【０００１】
本発明は、待ち受け中にページングチャネルを通じて基地局からの呼出し等を監視する移動局に関し、特に、そのような待ち受け中の移動局の省電力化技術に関する。
【背景技術】
【０００２】
従来、ＣＤＭＡ通信等において、移動局は、必要な時間以外は、自装置の不要回路部を低消費電力モードにすることで消費電力を削減してきた。すなわち、基地局からの呼び出しを待つ待ち受け状態中は、基地局から送られてくるページングチャネルのうち、自機に割り当てられたページングチャネルスロットのみを監視するという間欠受信を行っており（特許文献１参照）、監視するとき以外は自装置の不要回路部を低消費電力モードにして、消費電力を削減している。
【０００３】
ページングチャネルとは、基地局から移動局への制御情報や呼び出し情報等の送信に利用されるチャネルであり、このページングチャネルは８０ｍｓのスロットに分割される。このスロットをページングチャネルスロットと呼び、基地局は、このページングチャネルスロット毎に特定の移動局に対するメッセージを一定周期（これをスロットサイクルと呼ぶ）で送出している。移動局は、この周期で自分宛のページングチャネルスロットを監視すればよいことになる。
【特許文献１】特表平０７−５０５０３０号公報
【発明の開示】
【発明が解決しようとする課題】
【０００４】
しかし、移動局である携帯端末の使われ方は多様化しており、待ち受け状態中は、常に一定の周期でページングチャネルを監視している必要はなく、携帯端末の現在の使用状況に応じて監視周期を変えて、消費電力を削減することが望ましい。
【０００５】
そこで、本発明は、ユーザが移動局をほとんど不都合なく使用でき、かつ、消費電力を抑え得るような移動局の提供を目的とする。
【課題を解決するための手段】
【０００６】
携帯電話の使用状況をみると、ユーザ毎に、特定の時間帯や曜日に使用が集中する等周期性があることから、過去の使用状況を基にすれば、使用するであろう時間を推測することが可能であると考えられる。
【０００７】
従って、上記課題を解決する為に、本発明の移動局は、通話時を特定する情報を含む通話履歴を記録する履歴記録手段と、前記通話履歴に基づいて、基地局から移動局へのメッセージ送信に使用されているページングチャネルを監視する周期を変更すべき時である周期変更時と、変更後のページングチャネルを監視する周期である変更後周期とを決定する決定手段と、決定された周期変更時が到来した時点で、前記変更後周期を示すスロットサイクルインデックスを基地局に通知する通知手段と、前記時点から、前記変更後周期でページングチャネルを監視し始める監視手段とを備えることを特徴とする。
【発明の効果】
【０００８】
本発明に係る移動局は、上述の構成を備えることにより、使用履歴に応じて、ページングチャネルを監視する周期が決定されるので、ユーザは移動局をほとんど不都合なく使用しつつ、かつ、消費電力を抑えることができるようになる。
【０００９】
すなわち、通話があると予想される待ち受け状態中は短い周期で監視し、通話がないと予想される待ち受け状態中は長い周期で監視することができるので、長い周期で監視する時間が存在すれば、全体として消費電力を抑えることができることになる。
【００１０】
また、前記移動局は更に、通話を検出する検出手段を備え、前記履歴記録手段は、前記検出手段による通話の検出に基づき前記通話履歴の記録を行うこととしてもよい。
【００１１】
これにより、使用履歴が自分の移動局で記録されるので、ユーザは、使用履歴を外部から読み込む等することなく、移動局を不都合なく使用しつつ、かつ、消費電力を抑えることができるようになる。
【００１２】
また、前記通話履歴は、１日を所定時間単位に分割し、分割時間帯ごとの通話の有無を記録した情報であり、更に、通話がある場合は通話のあった回数を含み、前記決定手段は、直近の前記分割時間帯の開始時を周期変更時とするように前記決定を行い、当該分割時間帯の通話回数が一定値より多い場合は、当該分割時間帯の通話回数が一定値以下、及び、通話がなかった場合に比べて短い周期を変更後周期とするように前記決定を行うこととしてもよい。
【００１３】
これにより、使用履歴における一定の時間帯の通話回数により、その時間帯のページングチャネルを監視する周期が決定されるので、ユーザは移動局を不都合なく使用しつつ、かつ、消費電力を抑えることができるようになる。
【００１４】
また、前記移動局は更に、通話終了時に、ページングチャネルを監視する所定周期を示すスロットサイクルインデックスを、基地局に通知する手段と、前記通話終了時から一定時間経過時に、前記所定周期に比べて長い周期を示すスロットサイクルインデックスを、基地局に通知する手段を有することとしてもよい。
【００１５】
これにより、通話を行った後も、一定時間通話に適する周期でページングチャネルを監視するので、ユーザは移動局を不都合なく使用しつつ、かつ、消費電力を抑えることができるようになる。
【００１６】
また、前記履歴記録手段は、ＰＴＴモード中の音声パケットの送受信の時である前記通話された時とを記録することとしてもよい。
【００１７】
これにより、ＰＴＴモード中も、ユーザは移動局を不都合なく使用しつつ、かつ、消費電力を抑えることができるようになる。
【００１８】
さらに、本発明に係る移動局は、通話時を特定する情報を含む通話履歴を記録する履歴記録手段と、前記通話履歴に基づいて、基地局から移動局へのメッセージ送信に使用されているページングチャネルを監視する周期を変更すべき時である周期変更時と、変更後のページングチャネルを監視する周期である変更後周期とを決定する決定手段と、決定された周期変更時と前記変更後周期を示すスロットサイクルインデックスとを基地局に通知する通知手段と、前記周期変更時から、前記変更後周期でページングチャネルを監視し始める監視手段とを備えることを特徴とする移動局としてもよい。
【００１９】
これにより、使用履歴に応じて決定されたページングチャネルの監視周期を、事前に基地局に通知しておくことができるので、監視周期を変更すべき時毎に基地局に通知する必要がなくなり、かつ、ユーザは移動局をほとんど不都合なく使用しつつ、消費電力を抑えることができるようになる。
【発明を実施するための最良の形態】
【００２０】
＜概要＞
本発明に係る移動局は、ＰＴＴ機能を搭載しているものである。
ＰＴＴ機能とは、ダイヤルする替わりに、ＰＴＴ（Push To Talk）ボタンを押すだけで、事前に登録してある他の移動局の相手に発話音を送り、また、何の操作もせずに相手の発話音を受け取ることのできる機能である。
【００２１】
この通話は、ユーザがＰＴＴ機能を利用する旨の操作を行い、ＰＴＴモードに入ることで行うことが可能となる。
【００２２】
このＰＴＴ機能を使用している間は、相手の発話音はできるだけ早く受け取ったほうがユーザ同士の会話の妨げにならないことから、スロットサイクルを通常の場合よりも短くし、相手の発話音をより早く獲得しようとしている。
【００２３】
すなわち、ＰＴＴモード中、基地局は相手が音声を発した旨の通知をページングチャネルに乗せて移動局に送っており、移動局はより早く相手が音声を発したことを検知する為に、通常よりも短い周期でページングチャネルを監視している。従って、消費電力は、通常の待ち受け状態中に比べ、ＰＴＴモード中の方が大きくなる。
【００２４】
ＰＴＴモードに入っていない通常の待ち受け状態では、ページングチャネルの監視周期はスロットサイクルインデックス“２”が設定され、ＰＴＴモード中は、ユーザ同士の会話をスムーズにするためにスロットサイクルインデックス“０”が設定されている。
【００２５】
ここで、スロットサイクルインデックスとは、基地局が特定の移動局に対して情報を格納して送信するページングチャネルスロットの送信周期を指定するものである。周期は、以下の式で求められる。
【００２６】
８０ms×１６×２n
“ｎ”はスロットサイクルインデックスであり、“１６×２n”はスロットサイクル長である。
【００２７】
スロットサイクルインデックスが“０”の場合は、１．２８秒の周期で送信し、“１”の場合は、２．５６秒、“２”の場合は５．１２秒となる。
【００２８】
スロットサイクルインデックス“０”の場合の監視周期１．２８秒は、スロットサイクルインデックス“２”の場合の監視周期５．１２秒の３分の１である為、ＰＴＴモード中の消費電力は、通常の待ち受け状態中に比べて３倍となる。
【００２９】
本発明では、移動局にＰＴＴモード中の通話履歴を保存しておき、その通話履歴に基づいて、通話が行われるであろう時間帯にはスロットサイクルインデックスを“０”にし、その他の時間帯にはスロットサイクルインデックスを“２”にして、消費電力を抑えようとするものである。
【００３０】
＜構成＞
以下、本発明の実施形態に係る移動局について図１を用いて説明する。図１は、ＣＤＭＡ方式の移動局の構成を示す機能ブロック図である。
【００３１】
移動局１００は、アンテナ１０、高周波回路を備える無線部２０、変復調回路及び信号処理回路を含む変復調部３０、音声信号のデジタル−アナログ変換を行う音声処理部４０、音声信号を出力するスピーカ４１、外部音声を入力するマイク４２、制御部５０、ＰＴＴボタン６０、ディスプレイ７０及びキー８０から構成される。
【００３２】
ＰＴＴボタンは、移動局１００の筐体表面に突設されたボタンとボタンの押下及び解放を検出してそれを制御部５０に伝える機構とを有する。
【００３３】
制御部５０は、図示しないＣＰＵ、メモリ等を備え、通信制御等、携帯電話機に必要な一般的な制御処理を行う他、ＰＴＴ機能に関連した本発明に特有の処理を行う。
【００３４】
そのための構成として、制御部５０は、ＰＴＴ通信制御部５１、通話履歴記憶部５２、監視周期決定部５３、スロットサイクルインデックス通知部５４、ページングチャネル監視部５５及びタイマー５６を備える。
【００３５】
まず、ＰＴＴ通信制御部５１は、通常のＰＴＴ通信処理の他、ＰＴＴ機能に関連した本発明に特有の処理の制御を行う機能を有する。例えば、通話があったことを検出し、通話履歴を記録する等である。ＰＴＴ通信制御部５１は、移動局１００がＰＴＴモードに入った時に起動され、ＰＴＴモードから抜けた時に終了する。
【００３６】
通話履歴記憶部５２は、ＰＴＴモード中におけるユーザの通話履歴をメモリに記憶する機能を有し、また、その通話履歴の更新、読み出し等を行う機能を有する。記憶されている通話履歴は、1日を３時間で分割し、各時間帯の通話回数を記録したものである。通話履歴の詳細は、図２で説明する。
【００３７】
本発明の移動局１００では、この３時間の分割時間帯毎に、その時間帯の通話履歴に基づいて、スロットサイクルインデックスを変更しようとするものである。
【００３８】
また、通話履歴記憶部５２は、ＰＴＴ通信制御部５１により通話回数の更新等の依頼がなされ、監視周期決定部５３により通話履歴の読出し依頼がなされる。
【００３９】
次に、監視周期決定部５３は、通話履歴記憶部５２に記憶されている通話履歴に基づいて、ページングチャネルの監視周期を決定する機能を有する。また、次の監視周期を決定すべき時間に割り込みがかかるように、タイマーを設定する機能を有する。具体的には、次の時間帯の開始時にタイマー割り込みを設定する。
【００４０】
すなわち、監視周期決定部５３は、通話履歴記憶部５２に記憶されている通話履歴の記憶単位である３時間毎に、通話履歴を基に監視周期を決定する。そのために、次の時間帯の開始時までに、監視周期決定部５３に制御が渡り、次の時間帯の監視周期を決定する必要がある。従って、次の時間帯の開始時にタイマー割り込みがかかり監視周期決定部５３に制御が渡るように、タイマーを設定する。
【００４１】
例えば、１５時〜１８時の時間帯の監視周期を決定する場合は、１５時に監視周期決定部５３に制御が渡り、前日の１５時〜１８時の通話履歴に基づき監視周期を決定する。その後、１８時〜２１時の時間帯の監視周期を決定する為に１８時に割り込みがかかり監視周期決定部５３に制御が渡るように、１８時にタイマーを設定する。
【００４２】
更に、監視周期決定部５３は、決定したページングチャネルの監視周期を基地局に登録する旨の依頼をスロットサイクルインデックス通知部５４に行い、決定した監視周期でページングチャネルを監視する旨の依頼をページングチャネル監視部５５に行う。
【００４３】
スロットサイクルインデックス通知部５４は、ページングチャネルの監視周期を、基地局に通知する機能を有する。詳細には、スロットサイクルインデックスの値を“０”または“２”に設定したパラメータ変更登録メッセージを基地局へ送信する。
【００４４】
スロットサイクルインデックス通知部５４は、監視周期決定部５３とＰＴＴ通信制御部５１から、スロットサイクルインデックスを基地局に通知する旨の依頼を受ける。監視周期決定部５３からは、決定した監視周期のスロットサイクルインデックス“０”または“２”を通知する旨の依頼であり、ＰＴＴ通信制御部５１からは、ＰＴＴ通話が始まったためスロットサイクルインデックス“０”を通知する旨の依頼である。
【００４５】
ページングチャネル監視部５５は、基地局から送られてくるページングチャネルを監視する機能を有する。その監視周期は、スロットサイクルインデックス通知部５４が基地局に通知した周期と同じである。
【００４６】
ページングチャネル監視部５５は、監視周期決定部５３とＰＴＴ通信制御部５１から、監視周期を変更する依頼を受ける。監視周期決定部５３からは、決定した監視周期を決定したスロットサイクルインデックス“０”または“２”の周期に変更する旨の依頼であり、ＰＴＴ通信制御部５１からは、ＰＴＴ通話が始まったためスロットサイクルインデックス“０”の周期で監視する旨の依頼である。
【００４７】
タイマー５６は、指定された時間に割り込みをかける機能を有する。詳細には、指定された時間がきたら、ＰＴＴ通信制御部５１に制御を渡し、制御を渡されたＰＴＴ通信制御部５１は、割り込みに応じた処理を行う。
【００４８】
タイマー５６は、監視周期決定部５３とＰＴＴ通信制御部５１から、時間を設定される。監視周期決定部５３は、次の時間帯の開始時間にタイマーを設定し、ＰＴＴ通信制御部５１は、ＰＴＴ通話が終了してから１時間後にタイマーを設定する。
【００４９】
ここでＰＴＴ通信制御部５１等の各部による各処理は、ＣＰＵが各種プログラムを実行することにより実現されるものである。
【００５０】
＜データ＞
以下、移動局１００が用いる主なデータについて、図２を使用して説明する。図２は、通話履歴の内容例を示す。
【００５１】
通話履歴３００は、月日３１０、時間帯３２０、ＰＴＴモード３３０及び通話回数３４０で構成される。月日３１０は、通話履歴が取られた月日を表している。
また、時間帯３２０は、履歴を取る時間帯を表している。１日を３時間毎に区切り、１つの時間帯とする。
【００５２】
ＰＴＴモード３３０は、ＰＴＴモードに入っていたか否かを表している。ＰＴＴモードに入っていれば「ＯＮ」、入っていなければ「ＯＦＦ」となる。また、対応する時間帯３２０のうち、ＰＴＴモードに入っている時間があれば「ＯＮ」とする。
【００５３】
通話回数３４０は、時間帯３２０の間のＰＴＴによる通話回数を表している。例でいえば、８月１日の１５時から１８時の間はＰＴＴモードに入っていた時間があり、その間にＰＴＴによる通話を３０回行ったことになる。ＰＴＴモードが「ＯＦＦ」の場合の通話回数３４０「―」は、不定であり、参照されることはない。
【００５４】
ここで、通話履歴３００は２日分あり、通話履歴記憶部５２に記憶されている。１日は、昨日の通話履歴３００であり、もう１日は今日の通話履歴である。例でいえば、８月１日の通話履歴は昨日のものであり、８月２日の通話履歴は今日のものである。また、現在の時刻は１１時とする。従って、１２時以降の履歴は、まだ取られていない。監視周期決定部５３によって、監視周期を決定する為に参照される通話履歴は、昨日のもの、すなわち８月１日のものである。
【００５５】
また、今日８月２日の２４時を回った時点で、８月２日の通話履歴が、監視周期決定部５３によって参照されることになる。
【００５６】
＜動作＞
以下、上述した移動局１００の動作について図３〜図６を用いて説明する。図３は、スロットサイクルインデックスの切り替え処理を示すフローチャートである。この処理は、移動局１００がＰＴＴモード中にあるときは、常に行われている。
【００５７】
まず、ユーザは移動局１００のディスプレイに表示されたメニューから、キー８０を操作してＰＴＴモードを選択する。
【００５８】
ＰＴＴモード選択の操作を受けた制御部５０は、制御をＰＴＴ通信制御部５１に渡す。ＰＴＴ通信制御部５１は、ＰＴＴモード初期処理を行う（ステップＳ２０）。
【００５９】
ＰＴＴモード初期処理とは、ＰＴＴ通信用のＩＰネットワークにサインインし、ネットワークにＩＰアドレスの割当てを要求し、ネットワークからＩＰアドレスを取得する処理である。移動局１００にＩＰアドレスを割り当てたネットワークは、ＩＰアドレスと移動局１００の移動局識別子とを対応付けて管理し、ＩＰアドレス宛に通話の音声パケットを送信等する。
【００６０】
また、通話履歴記憶部５２に対して、現時刻とＰＴＴモードに入った旨を通知する。通知を受けた通話履歴記憶部５２は、通知された時刻の含まれる時間帯３２０に対応するＰＴＴモード３３０を「ＯＮ」にし、通話回数３４０を「０」にする。
【００６１】
ＰＴＴモードの初期処理を実施したＰＴＴ通信制御部５１は、次に、現時刻のサイクルインデックスの登録処理を行う（ステップＳ２１）。
【００６２】
具体的には、監視周期決定部５３に、現時刻を渡し、現時刻のサイクルインデックスの登録処理を依頼する。現時刻は、移動局の電源を入れたときに行う初期設定時に、基地局から得た時刻と移動局の時刻をあわせておき、利用するものとする。
【００６３】
依頼を受けた監視周期決定部５３は、現時刻の含まれる時間帯３２０（図２参照）の通話履歴に基づいて、最適の監視周期であるスロットサイクルインデックスを決定し、ページングチャネルの監視を行うようにする。この処理の詳細は、図４で説明する。
【００６４】
現時刻に最適の監視周期でページングチャネルを監視するように処理を行った監視周期決定部５３は、次にスロットサイクルインデックスを見直す時間にタイマー割り込みがあるようにタイマー５６をセットする（ステップＳ２２）。
【００６５】
次にスロットサイクルインデックスを見直す時間とは、現時刻の含まれる時間帯３２０の次の時間帯の開始時刻をいう。例でいえば、現在が８月２日１１時であるとすれば、次の時間帯の開始時刻は、１２時となる（図２参照）。
【００６６】
タイマーをセットした監視周期決定部５３は、制御をＰＴＴ通信制御部５１に返す。制御を渡されたＰＴＴ通信制御部５１は、待ち状態に入る。
【００６７】
監視周期決定部５３がセットしたタイマー割り込みがあった場合（ステップＳ２３）、ＰＴＴ通信制御部５１は、現時刻のサイクルインデックスの登録処理を行う（ステップＳ２１）。
【００６８】
また、ＰＴＴ通信制御部５１は、通話履歴記憶部５２に対して、現時刻とＰＴＴモードに入った旨を通知する。通知を受けた通話履歴記憶部５２は、通知された時刻の含まれる時間帯３２０に対応するＰＴＴモード３３０を「ＯＮ」にし、通話回数３４０を「０」にする。
【００６９】
ＰＴＴモード終了の割り込みがあった場合（ステップＳ２３）は、ＰＴＴモード終了処理を行い（ステップＳ３１）、スロットサイクルインデックスの切り替え処理を終了する。
【００７０】
ＰＴＴモードの終了は、ユーザが移動局１００のディスプレイに表示されたメニューから、キー８０を操作してＰＴＴモード終了を選択することで行う。ＰＴＴモード終了の操作を検知した制御部５０は、ＰＴＴ通信制御部５１に割り込みをかけ、その旨を通知する。
ＰＴＴモード終了の通知を受けたＰＴＴ通信制御部５１は、ＰＴＴモードの終了処理、すなわち、ＩＰネットワークからサインアウトを行ってＩＰアドレスを解放する処理を行い、ＰＴＴモードを終了する。
【００７１】
また、通話割り込みがあった場合（ステップＳ２３）は、ＰＴＴ通話の送信または受信の処理を行う（ステップＳ２４）。ＰＴＴ通信の送信処理とは、移動局１００のユーザがＰＴＴボタン６０を押下し、発した音声を相手方に送信することをいう。ユーザがＰＴＴボタンを押下すると、その押下を検出した制御部５０はＰＴＴ通信制御部５１に割り込みをかける（ステップＳ２３）。ＰＴＴ通信制御部５１は、基地局に対してＰＴＴＣＡＬＬ信号を発してトラヒックチャネルの割当てを要求し、割り当てられたトラフィックチャネルを通じて、スピーカ４１より入力されて音声処理部４０でデジタル化された音声を、変復調部３０にて送信相手のＩＰアドレスを付加した音声パケットにして、相手方に送信する。
【００７２】
ＰＴＴ通信の送信処理は、ユーザがＰＴＴボタン６０を解放し、トラフィックチャネルが解放されて、処理終了となる。ＰＴＴ通信の受信処理とは、移動局１００のユーザが、相手方の発した音声を受信することをいう。相手方が、ＰＴＴ通信の送信処理を行うと、相手方の移動局が発したＰＴＴＣＡＬＬ信号を基地局が受け取り、ページングチャネルでその旨を移動局１００に通知してくる。その通知に移動局１００が答えることで、トラフィックチャネルが設定され、そのトラフィックチャネルを通じて相手方の音声パケットを受け取り、再生する。
【００７３】
ＰＴＴ通信の受信処理は、相手方がＰＴＴボタン６０を解放し、トラフィックチャネルが解放されて、処理終了となる。ＰＴＴ通話の送信または受信の処理を終了したＰＴＴ通信制御部５１は、通話履歴データの更新を行う（ステップＳ２５）。具体的には、通話履歴記憶部５２に対して、通話時刻と通話があった旨を通知し、通話履歴の更新を依頼する。
【００７４】
通話履歴の更新を依頼された通話履歴記憶部５２は、通知された時刻の含まれる時間帯３２０の通話回数３４０をカウントアップする。例でいえば、現在が８月２日１１時であり、通話があったとすれば、時間帯３２０「９時〜１２時」に対応する通話回数３４０が「０」から「１」となる（図２参照）。通話履歴データの更新を行ったＰＴＴ通信制御部５１は、スロットサイクルインデックス＝“０”の登録処理を行う（ステップＳ２７）。ＰＴＴでの通話中は、ページングチャネルの監視周期を短い周期として、ユーザ同士の会話がスムーズにできるようにするためである。当登録処理については、図５で説明する。
【００７５】
スロットサイクルインデックス＝“０”の登録処理を行ったＰＴＴ通信制御部５１は、１時間後の時刻に割り込みがあるようにタイマーをリセットする（ステップＳ２９）。すなわち、最後の通話から１時間後に割り込まれるように、現在のタイマーセットをキャンセルし、再度セットする。この１時間のタイマーは、通話後の約１時間は、再度通話が行われる可能性が高いと推定されることから、その約１時間は、スロットサイクルインデックスが“０”のままの短い周期でページングチャネルを監視しようとするものである。
【００７６】
タイマーをセットしたＰＴＴ通信制御部５１は、待ち状態に入る。通話割り込みがあった場合（ステップＳ３０）は、ＰＴＴ通話の送信または受信の処理を行う（ステップＳ２４）。ＰＴＴモード終了の割り込みがあった場合（ステップＳ２３）は、ＰＴＴモード終了処理を行い（ステップＳ３１）、スロットサイクルインデックスの切り替え処理を終了する。
【００７７】
また、１時間経過した旨のタイマー割り込みがあった場合（ステップS３０）は、現時刻のスロットサイクルインデックスの登録処理を行う（ステップS２１）。すなわち、再度の通話を１時間待っても再度の通話がなかった場合は、その時点での本来のスロットサイクルインデックス値に戻すことになる。
【００７８】
例で言えば、再度の通話を待つ１時間が経過した時点が、８月２日１３時であった場合、昨日８月１日の１３時が含まれる時間帯３２０「１２時〜１５時」に対応する通話回数３４０は「０」であることから、スロットサイクルインデックスは現時点の“０”から“２”に変更されることになる（図２参照）。
【００７９】
次に、現時刻のスロットサイクルインデックスの登録処理について、図４を用いて説明する。図４は、現時刻のスロットサイクルインデックスの登録処理のフローチャートである。当登録処理は、ＰＴＴ通信制御部５１から、現時刻を渡され、現時刻のスロットサイクルインデックスの登録処理を依頼された監視周期決定部５３が行う処理である。
【００８０】
依頼を受けた監視周期決定部５３は、受け取った現時刻の含まれる時間帯３２０の通話データを取得する（ステップＳ４０）。具体的には、時刻を指定して、通話履歴記憶部５２にデータの読み出しを依頼する。データ読み出しの依頼を受けた通話履歴記憶部５２は、昨日の通話履歴、例でいえば８月１日の通話履歴から該当する時間帯のデータを読み出し、監視周期決定部５３に渡す。
【００８１】
通話履歴記憶部５２から、指定した時刻のデータを受け取った監視周期決定部５３は、通話履歴の有無を判断する（ステップＳ４１）。この通話履歴の判断は、ＰＴＴモード３３０が「ＯＮ」で、かつ通話回数３４０が１回以上である場合に、通話履歴が有ると判断される。従って、ＰＴＴモード３３０が「ＯＦＦ」の場合や、ＰＴＴモード３３０が「ＯＮ」であっても通話回数３４０が０回である場合には、通話履歴が無いと判断される。
【００８２】
通話履歴が有ると判断された場合には、新しいスロットサイクルインデックスを“０”とする（ステップＳ４２）。一方、通話履歴が無いと判断された場合には、新しいスロットサイクルインデックスを“２”とする（ステップＳ４３）。次に、新しいスロットサイクルインデックスが、現在のスロットサイクルインデックスと同じか否かを判断し（ステップＳ４４）、同じであれば何もせずに登録処理を終了する。
【００８３】
新しいスロットサイクルインデックスが、現在のスロットサイクルインデックスと異なる場合は、新しいスロットサイクルインデックスの値を基地局に登録する旨をスロットサイクルインデックス通知部５４に依頼する（ステップＳ４５）。依頼を受けたスロットサイクルインデックス通知部５４は、スロットサイクルインデックスを変更する旨のパラメータ変更登録メッセージを基地局に送信する。パラメータ変更登録の処理の詳細は、図６で説明する。
【００８４】
その後、移動局１００が新しいスロットサイクルインデックス値の周期でページングチャネルを監視する旨をページングチャネル監視部５５に依頼する（ステップＳ４６）。
依頼を受けたページングチャネル監視部５５は、新しいスロットサイクルインデックス値の周期でページングチャネルを監視する。次に、スロットサイクルインデックス＝“０”の登録処理について、図５を用いて説明する。
【００８５】
図５は、スロットサイクルインデックス＝“０”の登録処理のフローチャートである。
現在のスロットサイクルインデックスの値が“０”か判断し（ステップＳ５０）、“０”であれば何もせずに登録処理を終了する。現在のスロットサイクルインデックスが“０”でない場合は、スロットサイクルインデックス＝“０”を基地局に登録する旨をスロットサイクルインデックス通知部５４に依頼する（ステップＳ５１）。
【００８６】
その後、移動局１００がスロットサイクルインデックス＝“０”の周期でページングチャネルを監視する旨をページングチャネル監視部５５に依頼する（ステップＳ５２）。
図６は、パラメータ変更登録の処理の詳細を示す図である。図６（ａ）は、スロットサイクルインデックスを“２”から“０”に変更する処理であり、図６（ｂ）は、スロットサイクルインデックスを“０”から“２”に変更する処理である。
【００８７】
図６（ａ）について説明する。スロットサイクルインデックスの値を“０”に設定したパラメータ変更登録メッセージを基地局２００へ送信する（ステップＳ６１）。それを受信した基地局２００は、移動局１００の移動局識別子とスロットサイクルインデックスの値“０”とを対応付けて記憶し（ステップＳ６２）、それ以降移動局１００に対して、スロットサイクル長１６（１．２８秒）のサイクル毎の１スロットで、ページングチャネル上の各種メッセージを送信する（ステップＳ６４）。これに対し移動局１００も、同じスロットサイクルでページングチャネルを監視する（ステップＳ６３）。
【００８８】
図６（ｂ）について説明する。動作については、図６（ａ）と同様であり、スロットサイクルインデックスの値を“２”に設定したパラメータ変更登録メッセージを基地局２００へ送信し（ステップＳ６６）、それを受信した基地局２００は、移動局１００の移動局識別子とスロットサイクルインデックスの値“２”とを対応付けて記憶し（ステップＳ６７）、それ以降移動局１００に対して、スロットサイクル長４８（５．１２秒）のサイクル毎の１スロットで、ページングチャネル上の各種メッセージを送信する（ステップＳ６９）。これに対し移動局１００も、同じスロットサイクルでページングチャネルを監視する（ステップＳ６８）。
【００８９】
＜補足＞
以上、本発明に係る移動局について実施形態に基づいて説明したが、この移動局を部分的に変形することもでき、本発明は上述の実施形態に限られないことは勿論である。即ち、
（１）実施形態では、通話履歴は昨日のもののみ記憶することとなっているが、移動局を利用した直近の日でもよく、また、複数日、複数月等でもよい。
【００９０】
さらに、実施形態では、昨日の同じ時間帯の通話回数が１回以上であれば、スロットサイクルインデックスを“０”であると判断しているが、他の方法で判断してもよい。
この場合、移動局の使用態様により通話履歴として最適な日を選択することができるので、より消費電力を抑えることができるようになる。例えば、公私ともに移動局を使用する場合は、休日明けの出勤日である月曜日には、先週最後の勤務日である金曜日の通話履歴を使用するのが適しているようにである。また、同じ曜日、月の同じ日の通話履歴を使用することが最適な場合もある。
【００９１】
また、例えば、１日分の通話履歴ではなく、数日分の通話履歴の平均値をもとに、スロットサイクルインデックスの値を決める方法もある。また、さらに、数日前からの通話回数の増加率等や、現時点までの数時間の通話回数の遷移等を考慮して、現時点からの通話予測を行い、スロットサイクルインデックスの値を決めることや、特定の相手方から通話があった場合には、スロットサイクルインデックスの値を変更する等としてもよい。
【００９２】
（２）実施形態では、通話履歴として３時間単位の通話回数を記録することとなっているが、他の項目でもよい。
【００９３】
例えば、日中は２時間単位で、夜中は５時間単位でのように、時間単位を変えるなどである。また、日単位、月単位等の時間帯としてもよい。更に、通話相手も記録する様にしてもよい。この場合、移動局の使用態様によりスロットサイクルインデックスを決定する為の通話履歴として最適な時間帯や、最適な通話を選択することができるので、より消費電力を抑えることができるようになる。
【００９４】
（３）実施形態では、スロットサイクルインデックスの値は“０”また“２”としているが、この値に限られない。
【００９５】
要するに、ＰＴＴ通話があるであろうと推測される時間帯のスロットサイクル長が他の時間帯のスロットサイクル長より短ければよい。
【００９６】
（４）実施形態では、通常の待ち受けモードのときはＰＴＴモードで通信を行うための処理を受け付けず、ＰＴＴモードのときは通常の待ち受けモードで通信を行うための処理を受け付けないよう構成されているが、ＰＴＴモードと通常の待ち受けモードとを同時間帯に両方とも利用できるよう構成してもよい。
【００９７】
（５）実施形態では、自動的にスロットサイクルが決定されることとなっているが、ユーザがスロットサイクルを選択指定できるように構成してもよい。この場合例えば、制御部５０は、通常の待ち受け状態中、及び、ＰＴＴモード中に、ユーザによる所定操作によってスロットサイクルの候補のリストをディスプレイ７０に提示する。そしてユーザにより候補の１つが選択される操作を受付けると、制御部５０は、スロットサイクルインデックス通知部５４に、その候補に対応するスロットサイクルインデックスを指定したパラメータ変更登録を基地局２００に対して行うよう依頼する。また制御部５０は、ページングチャネル監視部５５に、その候補に対応するスロットサイクルインデックスの周期でページングチャネルを監視するよう依頼する。
【００９８】
これによりユーザは、電力節減やＰＴＴ通話のレスポンスの速さ等、目的に応じて、スロットサイクルを選択することができる。
【００９９】
（６）実施形態では、通話毎に、１時間のタイマーをリセットしているが、通話毎に行わなくてもよい。例えば、通話が３０秒なかった場合に、１時間のタイマーをリセットする様にしてもよい。
【０１００】
（７）実施形態では、現時刻は、移動局の電源が入れられたときに、基地局から取得した時刻に移動局の時刻を合わせたものを使用しているが、必要なときに、その都度基地局から時間を取得してもよい。
【０１０１】
（８）実施形態で示した移動局の各機能を実現させる為の各制御処理（図１等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した移動局の各機能が実現される。
【０１０２】
（９）実施形態では、ＰＴＴモード時の通話履歴に応じて、ＰＴＴモード時の待ち受け状態時のスロットサイクルインデックスを変更しているが、ＰＴＴモード時に限られない。
【０１０３】
（１０）実施形態では、ページングチャネルの監視周期を通常の待ち受け状態中よりも短くする場合について説明しているが、ページングチャネルの監視周期を通常の待ち受け状態中よりも長くする場合でもよい。
【０１０４】
例えば、メール着信のみが行われる時間帯などは、ページングチャネルの監視周期を長くして消費電力を抑えても、不都合はないと考えられる。
【０１０５】
（１１）実施形態では、監視周期決定部５３がページングチャネルの監視周期の決定を行うのは、通話履歴の時間帯の開始時としているが、その開始時前であればよい。
例えば、開始時５分前に監視周期決定部５３に制御が渡ることとしてもよい。
【０１０６】
また、事前に決定しておいてもよい。例えば、夜中の０時に監視周期決定部５３に制御が渡されたときに、前日の履歴を基に１日分の各時間帯の監視周期を決定しておくようにである。この場合、監視周期決定部５３は、夜中の０時以外に制御が渡された場合は、事前に決定されている監視周期を返すのみとなる。さらに、実施形態では、監視周期決定部５３がページングチャネルの監視周期の決定を行うのは、監視周期を変更する時間帯の開始時としていることから、監視周期決定後すぐに基地局に監視周期を変更するよう依頼しているが、その開始時より前に基地局に監視周期の変更依頼を行ってもよい。
【０１０７】
この場合、監視周期とその監視周期で監視し始める時間とを基地局に通知し、基地局はその時間からその監視周期で監視を始める必要がある。
【産業上の利用可能性】
【０１０８】
ＰＴＴ機能を有する携帯電話機の技術として有用である。
【図面の簡単な説明】
【０１０９】
【図１】ＣＤＭＡ方式の移動局の構成を示す機能ブロック図である。
【図２】通話履歴の内容例を示す図である。
【図３】スロットサイクルインデックスの切り替え処理を示すフローチャートである。
【図４】現時刻のスロットサイクルインデックスの登録処理のフローチャートである。
【図５】スロットサイクルインデックス＝“０”の登録処理のフローチャートである。
【図６】パラメータ変更登録の処理の詳細を示す図である。図６（ａ）は、スロットサイクルインデックスを“２”から“０”に変更する処理であり、図６（ｂ）は、スロットサイクルインデックスを“０”から“２”に変更する処理である。
【符号の説明】
【０１１０】
１０  アンテナ
２０  無線部
３０  変復調部
４０  音声処理部
４１  スピーカ
４２  マイク
５０  制御部
５１  ＰＴＴ通信制御部
５２  通話履歴記憶部
５３  監視周期決定部
５４  スロットサイクルインデックス通知部
５５  ページングチャネル監視部
５６  タイマー
６０  ＰＴＴボタン
７０  ディスプレイ
８０  キー
１００  移動局
２００  基地局
３００  通話履歴
【図１】
0004726938.tif 000002
【図２】
0004726938.tif 000003
【図３】
0004726938.tif 000004
【図４】
0004726938.tif 000005
【図５】
0004726938.tif 000006
【図６】
0004726938.tif 000007